(57)【要約】【課題】ホースの収納時にホースへの荷重負担が少ない電気掃除機を提供する。【解決手段】被係止部Ａ８を有する掃除機本体２と、一端が掃除機本体２に接続され他端に吸込把持部５を有するホース３と、一端が吸込把持部５に接続され他端に床用吸込具７が接続される延長管６と、延長管６に設けられ、スタンド収納時に被係止部Ａ８に係止されるフック９と、吸込把持部５の後端部に設けられた被掛止部Ｂ２０と、ホース３に取り付けられたホース掛止具４とを備え、ホース掛止具４にホース３の収納時に被掛止部Ｂ２０に着脱自在に掛止させるフック部１５を設けたもので、スタンド収納時に、ホース掛止具４のフック部１５を被掛止部Ｂ２０に掛止めすることで、ホース掛止具４からのホース３への荷重が分散され、ホース３の寿命が長い電気掃除機１を実現できる。【選択図】図２
2019000344.tif 000002
【特許請求の範囲】
【請求項１】
電動送風機を内蔵すると共にスタンド収納用の被係止部Ａを有する掃除機本体と、一端が前記掃除機本体に接続され他端に吸込把持部を有する可撓性のあるホースと、一端が前記吸込把持部に接続される延長管と、前記延長管の他端に接続される床用吸込具と、前記延長管に設けられ、前記スタンド収納時に前記被係止部Ａに係止される係止部と、前記吸込把持部の後端部に設けられた被掛止部Ｂと、前記ホースに取り付けられたホース掛止具とを備え、前記ホース掛止具に前記ホースの収納時に前記被掛止部Ｂに着脱自在に掛止させる掛止部を設けた電気掃除機。
【請求項２】
ホース掛止具をホースに取り付けた際に前記ホースの外周面と接触する前記ホース掛止具の内周面を曲面或いは隆起形状にしたことを特徴とする請求項１に記載の電気掃除機。
【請求項３】
ホース掛止具のホースと接触する面に曲面或いは隆起形状にした曲面部を、掛止部が取り付けられている部分の前記ホースの軸方向に平面部をそれぞれ配し、前記曲面部と前記平面部とを断面二次モーメントが略一定となるよう形状を滑らかに繋げたことを特徴とする請求項１に記載の電気掃除機。
【請求項４】
ホースは螺旋状の鋼線を有し、前記ホースの外周面に接触するホース掛止具の内周面に凸リブを複数取り付け、前記ホース掛止具を前記ホースに取り付けた状態で、前記凸リブのうち少なくとも一つが、前記ホースの外周面における前記鋼線間に入り込むようにした請求項１〜３のいずれか１項に記載の電気掃除機。
【発明の詳細な説明】
【技術分野】
【０００１】
本発明は、電気掃除機に関するものである。
【背景技術】
【０００２】
従来から用いられている電気掃除機の収納方法には、掃除機本体を床面に立て、掃除機本体に設けられた被係止部にパイプの係止部を嵌合し、床面に対してパイプが直立するように電気掃除機を収納するスタンド収納がある。
【０００３】
しかしながら、電気掃除機の快適な使用のためにホースの長さを十分に確保した場合、従来のスタンド収納においては、ホースは大きく膨らんだ状態にあるため、外観性を損ない、また収納スペースが拡大するという課題があった。
【０００４】
このような問題を解決するために、ホースに掛止具を、延長管に被掛止具をそれぞれ備え付けて、電気掃除機の収納時にホースの掛止具を被掛止具に取り付けて、ホースを収納するものがある（例えば、特許文献１参照）。
【先行技術文献】
【特許文献】
【０００５】
【特許文献１】特開平２−９８３２９号公報
【発明の概要】
【発明が解決しようとする課題】
【０００６】
しかしながら、上述した特許文献１に記載された従来の電気掃除機の技術では、ホースの掛止具によってホースを延長管の被掛止具に取り付けた際、ホースの掛止具の端面がホースに集中荷重を与えてしまい、ホースの製品寿命を低下させるという課題があった。
【０００７】
本発明は、このような従来の課題を解決する為のものであり、ホースへの集中荷重を低減させ、ホースの製品寿命が長い電気掃除機を提供することを目的とする。
【課題を解決するための手段】
【０００８】
上記従来の課題を解決するために、本発明の電気掃除機は、電動送風機を内蔵すると共にスタンド収納用の被係止部Ａを有する掃除機本体と、一端が前記掃除機本体に接続され他端に吸込把持部を有する可撓性のあるホースと、一端が前記吸込把持部に接続される延長管と、前記延長管の他端に接続される床用吸込具と、前記延長管に設けられ、前記スタンド収納時に前記被係止部Ａに係止される係止部と、前記吸込把持部の後端部に設けられた被掛止部Ｂと、前記ホースに取り付けられたホース掛止具とを備え、前記ホース掛止具に前記ホースの収納時に前記被掛止部Ｂに着脱自在に掛止させる掛止部を設けたもので、ホースを収納する際にホース掛止具の掛止部を吸込把持部の被掛止部Ｂに掛止めすることで、ホース掛止具からのホースへの荷重を分散させ、ホースへの集中荷重を防ぐことができるので、ホースの製品寿命が長い電気掃除機を実現できる。
【発明の効果】
【０００９】
本発明の電気掃除機は、電気掃除機の収納時にホース掛止具によるホースへの荷重を分散させることができ、ホースの製品寿命が長い電気掃除機を提供することができる。
【図面の簡単な説明】
【００１０】
【図１】本発明の実施の形態１における電気掃除機の右側面図
【図２】同電気掃除機の収納状態における右側面図
【図３】同電気掃除機の掃除機本体の底面斜視図
【図４】同電気掃除機の延長管の斜視図
【図５】同電気掃除機のホース掛止具の斜視図
【図６】図５のＡ部の断面矢視図
【発明を実施するための形態】
【００１１】
第１の発明は、電動送風機を内蔵すると共にスタンド収納用の被係止部Ａを有する掃除機本体と、一端が前記掃除機本体に接続され他端に吸込把持部を有する可撓性のあるホースと、一端が前記吸込把持部に接続される延長管と、前記延長管の他端に接続される床用吸込具と、前記延長管に設けられ、前記スタンド収納時に前記被係止部Ａに係止される係止部と、前記吸込把持部の後端部に設けられた被掛止部Ｂと、前記ホースに取り付けられたホース掛止具とを備え、前記ホース掛止具に前記ホースの収納時に前記被掛止部Ｂに着脱自在に掛止させる掛止部を設けたもので、ホースを収納する際にホース掛止具の掛止部を吸込把持部の被掛止部Ｂに掛止めすることで、ホース掛止具からのホースへの荷重を分散させ、ホースへの集中荷重を防ぐことができるので、ホースの製品寿命が長い電気掃除機を実現できる。
【００１２】
第２の発明は、特に、第１の発明のホース掛止具をホースに取り付けた際に前記ホースの外周面と接触する前記ホース掛止具の内周面を曲面或いは隆起形状にしたもので、ホースがホース掛止具の内周面に沿って曲がるときに、その曲がり部分に無理な負担がかからないのでホースの長寿命化が図れる。
【００１３】
第３の発明は、特に、第１の発明のホース掛止具のホースと接触する面に曲面或いは隆起形状にした曲面部を、掛止部が取り付けられている部分の前記ホースの軸方向に平面部をそれぞれ配し、前記曲面部と前記平面部とを断面二次モーメントが略一定となるよう形状を滑らかに繋げたもので、ホース掛止具をホースに取り付けた状態におけるホース掛止具の曲面部と平面部との接続部にかかる内部応力を略均一にすることができ、ホース掛止具の製品寿命の長期化を実現することができる。
【００１４】
第４の発明は、特に、第１〜３のいずれか一つの発明のホースは螺旋状の鋼線を有し、前記ホースの外周面に接触するホース掛止具の内周面に凸リブを複数取り付け、前記ホース掛止具を前記ホースに取り付けた状態で、前記凸リブのうち少なくとも一つが、前記ホースの外周面における前記鋼線間に入り込むようにしたもので、ホース掛止具をホースに取り付けた状態で、ホースにホースの中心軸方向に力が加わりホース掛止具とホースが摺動しようとした際、凸リブがホース外周面の鋼線に掛かり、ホースとホース掛止具が摺動するのを防ぐことができ、ホース掛止具とホースの固定力を向上させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の右側面図、図２は、同電気掃除機の収納状態における右側面図、図３は、同電気掃除機の掃除機本体の底面斜視図、図４は、同電気掃除機の延長管の斜視図、図５は、同電気掃除機のホース掛止具の斜視図、図６は、図５のＡ部の断面矢視図である。
【００１７】
以下では、電気掃除機１およびその構成要素（構成部品）の説明に関し、便宜上、図１における左側を正面（先端）側、右側を背面（後端）側、上側を上面（上）側、下側を底面（下）側、手前を右側、奥を左側として説明する。
【００１８】
図１に示すように、本実施の形態における電気掃除機１には、掃除機本体２と、螺旋状の鋼線（図示せず）を有するホース３と、ホース掛止具４と、吸込把持部５と、延長管６と床用吸込具７が含まれている。
【００１９】
掃除機本体２は、吸引力を発生させる電動送風機（図示せず）を内蔵すると共に集塵部（図示せず）を備えている。また、掃除機本体２の底面の前面には被係止部Ａ８（図３参照）が設けられている。
【００２０】
図２に示すように、掃除機本体２の背面を床に付け、正面を天に向けて電気掃除機１を立てて収納する、いわゆるスタンド収納時において、被係止部Ａ８は、延長管６を略垂直状態に保つものであり、延長管６に備えられた係止部としてのフック９（図４参照）を嵌め込むための凹部８ａを形成している。
【００２１】
ホース３は、一端がホース継手１０を介して掃除機本体２に接続されており、集塵部と連通している。
【００２２】
図２に示すスタンド収納時において、ホース掛止具４は、ホース３に取り付けられている。
【００２３】
また、吸込把持部５の後端部には、被掛止部Ｂ２０が設けられており、ホース掛止具４に備えられたフック部１５（図５参照）を嵌め込むための凹部（図示せず）が形成されている。
【００２４】
ホース掛止具４のフック部１５（図５参照）を、吸込把持部５の後端部の被掛止部Ｂ２０の凹部に固定することで、ホース３の撓みを抑えることができる。
【００２５】
ホース掛止具４は、ポリプロピレン等の弾性を有する合成樹脂からなり、ホース３に取り付けられるものである。
【００２６】
図５において、ホース掛止具４は、一端に重合係止部１１を、他端に前記重合係止部１１の掛止孔１２に掛止められる掛止フック１３を有している。ホース掛止具４の曲面帯体１４と平面帯体１７を接続する接続部１８は、断面二次モーメントが略一定となるよう形状を滑らかに繋げて形成されている。そして、ホース掛止具４は、曲面帯体１４、平面帯体１７及び接続部１８により前記ホース３に巻付固定されるようになっている。
【００２７】
また、曲面帯体１４の内周面は、図６に示すような曲面で構成されており、平面帯体１７の外周面はホース３の軸方向に突出したフック部１５が掛止部として一体成形されている。
【００２８】
さらに曲面帯体１４及び平面帯体１７の内周面には、前記ホース３の外周面に接触してホース掛止具４の前記ホース３への巻付保持力を高めるための複数の当てリブ１６と、前記当てリブ１６に比べ突出した複数の凸リブ１９を突出形成している。
【００２９】
図１に示すように、吸込把持部５は、一端がホース３に接続されており、電動送風機の電源オン、オフ等使用者が操作を行うための複数のスイッチ（図示せず）を備えている。
【００３０】
一方、吸込把持部５の他端には、延長管６が接続されており、前記延長管６の先端には床用吸込具７が接続されており、使用者が吸込把持部５を用いて電源オン操作を行うと、掃除機本体２内部の電動送風機が駆動し、床用吸込具７の吸込口（図示せず）から吸引風
が発生し、床面等に付いている塵埃を吸い取り、延長管６、吸込把持部５、ホース３を介して掃除機本体２内部の集塵部に集塵することが可能である。
【００３１】
尚、延長管６は、吸込把持部５に対して着脱自在であるため、延長管６を吸込把持部５から外して、吸込把持部５の開口部（図示せず）から塵埃を吸い込むことも可能であり、また延長管６から床用吸込具７を取り外し、延長管６の開口部分６ａから塵埃を吸い込むことも可能である。
【００３２】
以上のように構成された本実施の形態における電気掃除機による作用は以下のとおりである。
【００３３】
ホース掛止具４によってホース３を吸込把持部５の被掛止部Ｂ２０に取り付けてホース３を収納した際、ホース掛止具４からのホース３への荷重を分散させ、ホース３への集中荷重を防ぐことで、ホース３の製品寿命の長期化を実現できる。
【００３４】
また、ホース掛止具４の平面帯体１７を撓みやすくすることで、ホース掛止具４をホース３に取り付ける際に、ホース掛止具４の両端部間を広げるために要する力を低減することができ、楽に着脱をすることができる。
【００３５】
また、ホース掛止具４をホース３に取り付けた状態におけるホース掛止具４の接続部１８にかかる内部応力を略均一にすることができ、ホース掛止具４の製品寿命の長期化を実現することができる。
【００３６】
また、ホース３の外周面と接触するホース掛止具４の内周面に曲面形状の曲面帯体１４を設けたので、ホース掛止具４をホース３に取り付けた際に、ホース３がホース掛止具４の内周面に沿って曲がるときに、その曲がり部分に無理な負担がかからないのでホース３の長寿命化が図れる。
【００３７】
なお、本実施の形態では曲面帯体１４を曲面形状としたが、隆起形状にしても同様の作用、効果が得られることは言うまでもない。
【００３８】
また、ホース掛止具４をホース３に取り付けた状態で、ホース３にその軸方向に力が加わりホース掛止具４とホース３が摺動しようとした際、凸リブ１９がホース３の外周面の鋼線（図示せず）間に引っ掛かり、ホース３とホース掛止具４が摺動するのを防ぐことができ、ホース掛止具４とホース３の固定力を向上させることができる。
【００３９】
この発明は、以上の実施の形態の内容に限定されるものではなく、請求項記載の範囲内において種々の変更が可能である。
【産業上の利用可能性】
【００４０】
本発明に係る電気掃除機は、電気掃除機の収納時にホース掛止具によるホースへの荷重を分散させることができるので、ホースの製品寿命が長くなるもので、ホースを用いた各種電気掃除機に広く適用できる。
【符号の説明】
【００４１】
１  電気掃除機
２  掃除機本体
３  ホース
４  ホース掛止具
５  吸込把持部
６  延長管
６ａ  開口部分
７  床用吸込具
８  被係止部Ａ
８ａ  凹部
９  フック（係止部）
１０  ホース継手
１１  重合係止部
１２  掛止孔
１３  掛止フック
１４  曲面帯体（曲面部）
１５  フック部（掛止部）
１６  当てリブ
１７  平面帯体（平面部）
１８  接続部
１９  凸リブ
２０  被掛止部Ｂ
【図１】
2019000344.tif 000003
【図２】
2019000344.tif 000004
【図３】
2019000344.tif 000005
【図４】
2019000344.tif 000006
【図５】
2019000344.tif 000007
【図６】
2019000344.tif 000008